(57)【要約】      （修正有）【課題】両手が解放される単支点傘を提供する。【解決手段】傘面１４と、頂部に傘面１４が接続されている中棒１５と、中棒１５に嵌着される昇降スリーブ２００と、中間部分に昇降スリーブ２００が接続されている肩掛けベルト４００と、中棒１５の底部に位置する環状ベース１００と、環状ベース１００に接続される環状体ベルト３００とを備える。【選択図】図５
0003222969.tif 000002
【実用新案登録請求の範囲】
【請求項１】
傘面１４と、頂部に傘面１４が接続されている中棒１５と、中棒１５に嵌着される昇降スリーブ２００と、中間部分に昇降スリーブ２００が接続されている肩掛けベルト４００と、中棒１５の底部に位置する環状ベース１００と、環状ベース１００に接続される環状体ベルト３００と、を備えることを特徴とする、単支点傘。
【請求項２】
前記環状ベース１００の側部に環状ファスナ１が設けられており、環状ファスナ１とベース３とが接続され、環状ベース１００の上部にベースの継ぎ目２が設けられており、中棒１５がベースの継ぎ目２に挿入し、ベース３と中棒１５とが強力粘着剤で粘着され、新しい傘の柄を形成することを特徴とする、請求項１に記載の単支点傘。
【請求項３】
前記環状ベース１００が中棒１５と環状体ベルト３００に接続されることを特徴とする、請求項１に記載の単支点傘。
【請求項４】
前記昇降スリーブ２００の上下部にそれぞれ、上継ぎ目４と下継ぎ目７とが設けられており、中部にネジ６とノブ５から構成されるテークアップ装置が設けられており、側面に肩掛けベルトカバー８が設けられており、肩掛けベルトカバー８が半環状に張出していることを特徴とする、請求項１に記載の単支点傘。
【請求項５】
前記環状体ベルト３００は、主環状体ベルト９と環状体ベルトのファスナ１０とを備え、主環状体ベルト９が環状体ベルトのファスナ１０に挿入できることを特徴とする、請求項１に記載の単支点傘。
【請求項６】
前記肩掛けベルト４００は、主肩掛けベルト１３と、主肩掛けベルト１３に設けられているマジックテープ１１とマジックテープ１２とを備え、主肩掛けベルト１３が肩掛けベルトカバー８を挿通し、マジックテープの長さが７センチよりも大きいことを特徴とする、請求項１に記載の単支点傘。
【請求項７】
前記昇降スリーブ２００は上下へ移動することができることを特徴とする、請求項１に記載の単支点傘。
【請求項８】
前記環状ベース１００は主環状体ベルト９を水平移動することができることを特徴とする、請求項１に記載の単支点傘。
【考案の詳細な説明】
【技術分野】
【０００１】
本発明は屋外装置の分野に属し、具体的には、単支点傘に関する。
【背景技術】
【０００２】
現在、傘の基本の形態は、依然として２５００年前の雲氏により発明される傘の原型の続きであり、非常に大きな突破を遂げておらず、基本的に開き方と材料について改善を行うものである。このような傘は、従来から、何れも使用時に両手を解放できないデメリットを有する。現在市場に完全に出ていない技術には、両手が解放される傘の概念的な技術があるが、安定性が悪く、顔を雨から守ることができず、コストが極めて高価である等の問題があるので、実施又は普及することができない。なかでも、安定性が悪いという問題は、１つのポイントにて力を受けることに起因するものであり、１つのポイントにて力を受ける場合、大きな力で制御されないと、不安定となる。２つのポイントにて力を受けることにより安定性を向上させる概念的な技術もあるが、力点における構造設計が不適切であるので、実施することができない。これらはすべて、現在の技術で一時的に実質的突破を実現できない原因である。
【考案の概要】
【考案が解決しようとする課題】
【０００３】
上記問題を解決するために、本発明は、両手が解放される単支点傘を提供する。単支点傘は、単一支点傘とも言われ、１つの支点を有する傘を意味する。肩部を支点として、本発明ではアルキメデスの梃子の原理により傘をより強固する特徴が開示されている。ここに、風力及び他の横力で元の重力が置き換えられ、かつ水平方向に３６０°における梃子の原理であり、合計で一つの支点と一つの端点との二つの力点を有する。本発明は不静定構造にも属する。このように理論的に従来の傘よりも安定になり得る。
【課題を解決するための手段】
【０００４】
本発明は、傘面と、頂部に傘面が接続されている中棒と、中棒に嵌着される昇降スリーブと、中間部分に昇降スリーブが接続されている肩掛けベルトと、中棒の底部に位置する環状ベースと、環状ベースに接続される環状体ベルトと、を備える。
【０００５】
さらに、前記環状ベースの側部に環状ファスナが設けられており、環状ファスナとベースとが接続され、環状ベースの上部にベースの継ぎ目が設けられており、中棒がベースの継ぎ目に挿入し、ベースと中棒とが強力粘着剤で粘着され、新しい傘の柄を形成する。
【０００６】
さらに、前記環状ベースが中棒と環状体ベルトに接続される。
【０００７】
さらに、前記昇降スリーブの上下部にそれぞれ、上継ぎ目と下継ぎ目とが設けられており、中部にネジとノブから構成されるテークアップ装置が設けられており、側面に肩掛けベルトカバーが設けられており、肩掛けベルトカバーが半環状に張出している。
【０００８】
さらに、前記環状体ベルトは、主環状体ベルトと環状体ベルトのファスナとを備え、主環状体ベルトが環状体ベルトのファスナに挿入できる。
【０００９】
さらに、前記肩掛けベルトの主肩掛けベルトに２つのマジックテープが設けられており、マジックテープの長さが７センチよりも大きく、主肩掛けベルトが肩掛けベルトカバーを挿通する。
【００１０】
さらに、前記昇降スリーブは上下へ移動することができる。
【００１１】
さらに、前記環状ベースは主環状体ベルトを水平移動することができる。
【００１２】
さらに、前記中棒は昇降スリーブの上継ぎ目から入り、下継ぎ目から出る。
【００１３】
さらに、前記ベースそのものには上継ぎ目しかなく、下継ぎ目がなく、カップ状を呈している。
【考案の効果】
【００１４】
本発明は従来技術に比べ、以下のメリットを有する。
１）本発明は両手を解放することができ、雨天の場合、傘を差すこともできるし、晴天時のように屋外で労働したり出かけたりすることもでき、同時に女性が睛天の場合に傘を用いることに利便性をより多く与えることができる。
２）本発明は二つの力点があるので、梃子の原理により肩と上腹部に固定すると、手で持つことよりも安定することが可能である。
３）本発明はよりよく傘を人体の中心位置に近接させ、傘本体はほぼ人体に密着し、雨天に手で傘を把持することよりも、雨が体に当たることを防止できる。
【図面の簡単な説明】
【００１５】
【図１】環状ベースの構成図である。
【図２】昇降スリーブの構成図である。
【図３】環状体ベルトの構成図である。
【図４】肩掛けベルトの構成図である。
【図５】単支点傘の構成図である。
【図６】単支点傘が用いられるレンダリングである。
【考案を実施するための形態】
【００１６】
単支点傘は、傘面１４と、頂部に傘面１４が接続されている中棒１５と、中棒１５に嵌着される昇降スリーブ２００と、中間部分に昇降スリーブ２００が接続されている肩掛けベルト４００と、中棒１５の底部に位置する環状ベース１００と、環状ベース１００に接続される環状体ベルト３００と、を備える。以下に添付図面を参照しながら本発明をさらに説明する。
【００１７】
図２に示すように、昇降スリーブ２００の上下部にそれぞれ、上継ぎ目４と下継ぎ目７とが設けられており、中部にネジ６とノブ５から構成されるテークアップ装置が設けられており、側面に半環状に張出している肩掛けベルトカバー８が設けられている。傘本体部分には既存の傘の柄を取り除き、又は既存の傘の柄を取り付けない。このように昇降スリーブ２００を傘の底部から中棒１５に取り付けて嵌着でき、中棒１５が昇降スリーブ２００の上継ぎ目４から入り、昇降スリーブの下継ぎ目７から出ることで、昇降スリーブ２００が中棒１５と一体となり、上下へ移動することができる。ネジ６とノブ５から構成されるテークアップ装置を締め付けたり緩めたりすることにより、昇降スリーブ２００を中棒１５に固定し、又は上下に調整することができ、ユーザは昇降スリーブ２００を自分の肩と腹部又は腰部との間における間隔が適切な位置まで調整してから締め付け、固定する目的を達成することができる。
【００１８】
図１と図３に示すように、前記環状ベース１００の側面に環状ファスナ１が設けられており、環状ファスナ１とベース３とが接続され、環状ベース１００の上部にベースの継ぎ目２が設けられている。前記環状体ベルト３００は、主環状体ベルト９と環状体ベルトのファスナ１０とを備える。昇降スリーブ２００が中棒１５に取り付けられた後、中棒１５がベースの継ぎ目２に挿入し、ベース３そのものには上継ぎ目しかなく、下継ぎ目がなく、カップ状を呈している。それに、ベース３と中棒１５とが強力粘着剤で粘着され、新しいかつ手を用いる必要がない傘の柄を形成する。主環状体ベルト９は、ベース３と一体となる環状ファスナ１０に挿入でき、環状体ベルトのファスナ１０を介して腰部又は腹部を取り囲み、下部力点の固定作用が働き、支点と下部力点が安定すれば、上部の傘面１４が安定する。なかでも、環状体ベルト３００の具体的な固定垂直位置は、中棒の長さとユーザの要求に応じて選ばれ、環状ベース１００において環状ファスナ１０が主環状体ベルト９を水平移動することが可能であり、具体的な位置はユーザの要求に応じて移動し選ばれる。
【００１９】
図４に示すように、前記肩掛けベルト４００の主肩掛けベルト１３には、マジックテープ１１とマジックテープ１２とが設けられている。主肩掛けベルト１３は肩掛けベルトカバー８を挿通するものである。主肩掛けベルト１３は、肩掛けベルトカバー８を挿通するとともに肩掛けベルトカバーと摩擦力を発生させるように、肩掛けベルトカバー８を挿通する場合曲がるものであり、主肩掛けベルト１３が肩と密着し、同時にマジックテープ１１、１２を貼り合わせる。図４に示すマジックテープ１１、１２は実は異なる両面にある。マジックテープ１１、１２の長さが長いことで、このようにユーザの肩の幅に応じて粘着位置を調整し、さらに、肩掛けベルトが環を形成した後の実際の長さを調整することでき、ユーザに適合するようにする。
【００２０】
まず、着用前に自身の体型に応じて昇降スリーブ２００の位置を調整した後単支点傘を着用し開け始め、右手で単支点傘の中棒１５を把握し背中に置いた。その後左手で上部の肩掛けベルト４００を肩にかけた後、下部の肩掛けベルトのマジックテープ１１と上部の肩掛けベルトのマジックテープ１２とを係合させ、肩掛けベルト４００がこれにより固定された。その後左手で中棒１５の下部を掴み、右手で環状体ベルト３００を調整し始めた。環状体ベルト３００を傘がこの場合大きく揺れない位置まで調整し、さらに左右手を併用して環状体ベルト３００を組み立てた。図６に示すように、傘がこれにより組み立てられた。組み立てられた単支点傘は両手を完全に解放し、雨天における活動時間をより多くし、同時に出かける場合に利便性を大いに与えることができ、晴天に傘を差さない場合に携帯される物品と等量の物品を携帯できる。それに加えて、単支点傘は通常の傘と同様又はそれ以上の安定性を有し、中棒そのものは人体に直接接触しないことも快適さの向上に寄与する。
【符号の説明】
【００２１】
１    環状ファスナ
２    ベースの継ぎ目
３    ベース
４    昇降スリーブの上継ぎ目
５    ノブ
６    ネジ
７    昇降スリーブの下継ぎ目
８    肩掛けベルトカバー
９    主環状体ベルト
１０    環状体ベルトのファスナ
１１    マジックテープ
１２    マジックテープ
１３    主肩掛けベルト
１４    傘面
１５    中棒
１００    環状ベース
２００    昇降スリーブ
３００    環状体ベルト
４００    肩掛けベルト
５００    単支点傘
【図１】
0003222969.tif 000003
【図２】
0003222969.tif 000004
【図３】
0003222969.tif 000005
【図４】
0003222969.tif 000006
【図５】
0003222969.tif 000007
【図６】
0003222969.tif 000008
【手続補正書】
【提出日】令和1年7月12日(2019.7.12)
【手続補正１】
【補正対象書類名】実用新案登録請求の範囲
【補正対象項目名】請求項６
【補正方法】変更
【補正の内容】
【請求項６】
前記肩掛けベルト４００は、主肩掛けベルト１３と、主肩掛けベルト１３に設けられている面ファスナー１１と面ファスナー１２とを備え、主肩掛けベルト１３が肩掛けベルトカバー８を挿通し、面ファスナーの長さが７センチよりも大きいことを特徴とする、請求項１に記載の単支点傘。